(57)【要約】【課題】取付対象物に対して後方から取付可能な表示灯の取付部材及び表示灯を提供する。【解決手段】表示灯の取付部材１０は、表示灯１００を取付対象物Ｐに取り付けるための表示灯の取付部材であって、発光部材５を支持する本体部１１と、本体部１１から外側に延出し、取付対象物Ｐの後面に沿って配置され、取付対象物Ｐに取付可能とされた取付部２１と、を備え、取付部２１には、前後方向に貫通する第一取付孔２３ｈが形成され、螺子２３ｚが第一取付孔２３ｈに後方から挿通され、取付対象物Ｐに螺合可能とされていることを特徴とする。【選択図】図４
2020140013.tif 000002
【特許請求の範囲】
【請求項１】
表示灯を取付対象物に取り付けるための表示灯の取付部材であって、
発光部材を支持する本体部と、
該本体部から外側に延出し、前記取付対象物の後面に沿って配置され、該取付対象物に取付可能とされた取付部と、を備えることを特徴とする表示灯の取付部材。
【請求項２】
前記取付部には、前後方向に貫通する第一取付孔が形成され、
螺子が該第一取付孔に後方から挿通され、前記取付対象物に螺合可能とされていることを特徴とする請求項１に記載の表示灯の取付部材。
【請求項３】
取付対象物に取付可能とされた取付部材と、
該取付部材の前方に配置され、該取付部材に支持された支持部材と、
該支持部材に支持された発光部材と、を備える表示灯であって、
前記取付部材は、
前記支持部材を支持する本体部と、
該本体部から外側に延出し、前記取付対象物の後面に沿って配置され、該取付対象物に取付可能とされた取付部と、を有することを特徴とする表示灯。
【請求項４】
前記取付部には、前後方向に貫通する第一取付孔が形成され、
螺子が該第一取付孔に後方から挿通され、前記取付対象物に螺合可能とされていることを特徴とする請求項３に記載の表示灯。
【請求項５】
前記支持部材には、前後方向に貫通する第二取付孔が形成され、
前記取付部材が前記支持部材から取り外され、前記支持部材が前記取付対象物の前面に沿って配置された状態で、螺子が前記第二取付孔に前方から挿通され、前記取付対象物に螺合可能とされていることを特徴とする請求項３または４に記載の表示灯。
【請求項６】
前記本体部には、前記第二取付孔に係止される係止部が設けられていることを特徴とする請求項５に記載の表示灯。
【請求項７】
前記支持部材には、複数の前記第二取付孔が形成され、
前記係止部は、一の前記第二取付孔に係止され、
前記本体部には、他の前記第二取付孔内に配置され、鉛直面に沿う所定の方向の移動が規制された規制部が設けられていることを特徴とする請求項６に記載の表示灯。
【発明の詳細な説明】
【技術分野】
【０００１】
本発明は、表示灯の取付部材及び表示灯に関するものである。
【背景技術】
【０００２】
従来から、消火栓等の設備装置には、赤色に点灯することで、当該設備装置の位置を示す表示灯が設置されている。設備装置の取付パネルには、前後方向に貫通する貫通孔が形成されている。表示灯では、一部が貫通孔に配置されるとともに、取付パネルの前面（利用者側を向く面）における貫通孔の外縁側に配置された部分に螺子が挿通され、当該螺子が取付パネルに螺合されることで、表示灯は設備装置に設置されている。
【先行技術文献】
【特許文献】
【０００３】
【特許文献１】特開２０１６−１１８９９３号公報
【発明の概要】
【発明が解決しようとする課題】
【０００４】
しかしながら、上記の表示灯では、取付パネルに対して前方（利用者側）からしか螺子止めすることができないため、表示灯の設置条件等により後方からしか螺子止めできないような場合には、表示灯を設置することが困難であったり、設置できなかったりするという問題点がある。
【０００５】
そこで、本発明は、上記事情に鑑みてなされたものであり、取付対象物に対して後方から取付可能な表示灯の取付部材及び表示灯を提供する。
【課題を解決するための手段】
【０００６】
上記目的を達成するために、本発明は以下の手段を採用している。
すなわち、本発明に係る表示灯の取付部材は、表示灯を取付対象物に取り付けるための表示灯の取付部材であって、発光部材を支持する本体部と、該本体部から外側に延出し、前記取付対象物の後面に沿って配置され、該取付対象物に取付可能とされた取付部と、を備えることを特徴とする。
【０００７】
このように構成された表示灯の取付部材では、取付部は、取付対象物の後面に沿って配置されて、取付対象物に取付可能とされている。よって、表示灯の取付部材を、取付対象物に対して後方から取り付けることができる。
【０００８】
また、本発明に係る表示灯の取付部材は、前記取付部には、前後方向に貫通する第一取付孔が形成され、螺子が該第一取付孔に後方から挿通され、前記取付対象物に螺合可能とされていてもよい。
【０００９】
このように構成された表示灯の取付部材では、螺子を取付部の第一取付孔に後方から挿通して、取付対象物に螺合することができる。
【００１０】
また、本発明に係る表示灯は、取付対象物に取付可能とされた取付部材と、該取付部材の前方に配置され、該取付部材に支持された支持部材と、該支持部材に支持された発光部材と、を備える表示灯であって、前記取付部材は、前記支持部材を支持する本体部と、該本体部から外側に延出し、前記取付対象物の後面に沿って配置され、該取付対象物に取付可能とされた取付部と、を有することを特徴とする。
【００１１】
このように構成された表示灯では、取付部は、取付対象物の後面に沿って配置されて、取付対象物に取付可能とされている。よって、表示灯の取付部材を、取付対象物に対して後方から取り付けることができる。
【００１２】
また、本発明に係る表示灯は、前記取付部には、前後方向に貫通する第一取付孔が形成され、螺子が該第一取付孔に後方から挿通され、前記取付対象物に螺合可能とされていてもよい。
【００１３】
このように構成された表示灯では、螺子を取付部の第一取付孔に後方から挿通して、取付対象物に螺合することができる。
【００１４】
また、本発明に係る表示灯は、前記支持部材には、前後方向に貫通する第二取付孔が形成され、前記取付部材が前記支持部材から取り外され、前記支持部材が前記取付対象物の前面に沿って配置された状態で、螺子が前記第二取付孔に前方から挿通され、前記取付対象物に螺合可能とされていてもよい。
【００１５】
このように構成された表示灯では、螺子を支持部材の第二取付孔に前方から挿通して、取付対象物に螺合することができる。よって、取付部材を支持部材から取り外して、支持部材を、取付対象物に対して前方から取り付けることができる。
【００１６】
また、本発明に係る表示灯は、前記本体部には、前記第二取付孔に係止される係止部が設けられていてもよい。
【００１７】
このように構成された表示灯では、本体部の係止部は支持部材の一の第二取付孔に係止されているため、支持部材は取付部材に取り付けられる。
【００１８】
また、本発明に係る表示灯は、前記支持部材には、複数の前記第二取付孔が形成され、前記係止部は、一の前記第二取付孔に係止され、前記本体部には、他の前記第二取付孔内に配置され、鉛直面に沿う所定の方向の移動が規制された規制部が設けられていてもよい。
【００１９】
このように構成された表示灯では、本体部の規制部は支持部材の他の第二取付孔内に配置され、鉛直面に沿う所定の方向の移動が規制されているため、支持部材は取付部材に対して鉛直面に沿う所定の方向の移動が規制される。
【発明の効果】
【００２０】
本発明に係る表示灯の取付部材及び表示灯によれば、取付対象物に対して後方から固定することができる。
【図面の簡単な説明】
【００２１】
【図１】本発明の一実施形態に係る表示灯の斜視図である。
【図２】本発明の一実施形態に係る表示灯の側面図である。
【図３】本発明の一実施形態に係る表示灯の取付部材及び支持部材の斜視図である。
【図４】図１のＡ−Ａ線断面図である。
【図５】図１のＢ−Ｂ線断面図である。
【図６】本発明の一実施形態に係る表示灯の取付部材の斜視図である。
【発明を実施するための形態】
【００２２】
本発明の一実施形態に係る表示灯について、図面に基づいて説明する。
図１は、本発明の一実施形態に係る表示灯の斜視図である。図２は、本発明の一実施形態に係る表示灯の側面図である。
本実施形態に係る表示灯は、消火栓等の設備装置（不図示）に設置され、赤色に点灯することで、当該設備装置の位置を示すものである。
図１及び図２に示すように、表示灯１００は、取付体１と、発光部材５（図４参照。以下同じ。）と、カバー６と、を備えている。
以下の説明において、利用者が表示灯１００に向かう（を見る）方向を前後方向として、前後方向のうち利用者側を前側とし、表示灯１００側を後側とする。また、表示灯１００は、後述する取付体１の一対の取付腕部２１を水平方向に離間して配置され、一対の取付腕部２１の離間する方向を幅方向とする。
【００２３】
表示灯１００は、消火栓等の設備装置の前部に配置される取付パネル（取付対象物）Ｐ（図４参照。以下同じ。）等に取り付けられている。取付パネルＰには、前後方向に貫通する表示灯取付孔Ｐ１（図４参照。以下同じ。）が形成されている。表示灯取付孔Ｐ１は、表示灯１００の後述するベース部材３０に対応した形状をなしている。
以下の説明において、表示灯１００が取付パネルＰに取り付けられた配置に基づいて説明する。
【００２４】
図３は、表示灯１００の取付部材及び支持部材の斜視図である。
図３に示すように、取付体１は、ブラケット（表示灯の取付部材、取付部材）１０と、ベース部材（支持部材）３０と、を有している。
【００２５】
図４は、図１のＡ−Ａ線断面図である。図５は、図１のＢ−Ｂ線断面図である。図４では、表示灯１００が取り付けられる取付パネルＰを示している。
図４及び図５に示すように、ブラケット１０は、ブラケット本体部（本体部）１１と、一対の取付腕部（取付部）２１と、を有している。
【００２６】
図６は、ブラケット１０の斜視図である。
図６に示すように、ブラケット本体部１１は、平板状に形成されている。ブラケット１０は、板厚方向を前記方向に向けて配置されている。
【００２７】
正面視で（前方から見て）、ブラケット本体部１１は、環状に形成されている。換言すると、ブラケット本体部１１の中央には、前後方向に貫通する挿通孔１１ｈが形成されている。
【００２８】
ブラケット本体部１１には、前方に向かって突出する一対の係止突起（係止部）１２及び一対の規制突起（規制部）１７が設けられている。
【００２９】
一対の係止突起１２は、上下方向に離間して配置されている。各係止突起１２は、幅方向の一方側に配置された上向き片部１３と、幅方向の他方側に配置された係止片部１４と、を有している。係止片部１４の先端部には、幅方向の他方側に突出する爪部１５が形成されている。図５に示すように、上向き片部１３の後端部と係止片部１４の後端部とは接続されている。係止片部１４は、幅方向に弾性変形可能とされている。
【００３０】
図６に示すように、一対の規制突起１７は、幅方向に離間して配置されている。各規制突起１７は、正面視十字状をなしている。規制突起１７は、第一規制壁部１８と、第二規制壁部１９と、を有している。第一規制壁部１８及び第二規制壁部１９は、平板状に形成されている。第一規制壁部１８は、板厚方向を上下方向に向けて配置されている。第二規制壁部１９は、板厚方向を幅方向に向けて配置されている。規制突起１７のブラケット本体部１１からの突出高さＨ１（図４参照。以下同じ。）は、係止突起１２のブラケット本体部１１からの突出高さＨ２（図４参照。以下同じ。）よりも高い。
【００３１】
各取付腕部２１は、ブラケット本体部１１から外側（正面視の中央側と反対側）に延出している。本実施形態では、取付腕部２１はブラケット本体部１１から幅方向の両側に延出している。
【００３２】
各取付腕部２１は、ブラケット本体部１１の縁部から後方に向かって延びる後方向き壁部２２と、後方向き壁部２２の後端部から幅方向の外側に延びる取付壁部２３と、を有している。取付壁部２３には、前後方向に貫通する取付孔（第一取付孔）２３ｈが形成されている。
【００３３】
図４に示すように、ブラケット本体部１１の縁部１１ｅは、取付パネルＰの表示灯取付孔Ｐ１の後端部Ｐｂに当接配置されている。
【００３４】
取付腕部２１の取付壁部２３は、取付パネルＰの表示灯取付孔Ｐ１の後端部Ｐｂの後方に配置されている。
【００３５】
取付パネルＰの後面Ｐｃには、取付金具２６が設けられている。本実施形態では、取付金具２６は、取付パネルＰの後面Ｐｃに溶接して固定されているが、固定方法は適宜選択可能である。取付金具２６は、幅方向及び前後方向に沿う断面が略コの字状をなしている。取付金具２６は、取付腕部２１の取付壁部２３に沿って配置される螺子挿通壁部２６ａと、螺子挿通壁部２６ａの幅方向の両端部から前方に向かって折曲し、先端部が取付パネルＰの後面Ｐｃに沿って配置される折曲壁部２６ｂと、を有している。  
【００３６】
螺子２３ｚが、取付壁部２３の取付孔２３ｈに挿通され、取付金具２６の螺子挿通壁部２６ａの取付孔２６ｈにナット２６ｊで締結されている。
【００３７】
ベース部材３０は、取付パネルＰの表示灯取付孔Ｐ１に配置されている。図３に示すように、ベース部材３０は、ブラケット１０の前方に配置されている。ベース部材３０は、例えば透明白色とされているが、色調は適宜設定可能である。
【００３８】
ベース部材３０は、平板状に形成されてベース部３１を有している。ベース部３１は、板厚方向を前後方向に向けて配置されている。ベース部３１は、平面視略円形状をなしている。
【００３９】
ベース部３１には、前方に突出する突出台部３２が形成されている。突出台部３２は、ベース部３１の平面視中央に形成されている。図４に示すように、突出台部３２の後面は、前方に凹んだ収納凹部３３が形成されている。
【００４０】
ベース部３１の突出台部３２の平面視中央には、後方に向かって突出する取付筒部３４が設けられている。取付筒部３４は、前後方向を軸線方向として、筒状に形成されている。
【００４１】
図３に示すように、ベース部３１には、突出台部３２の外周側に、前後方向に貫通する取付孔（第二取付孔）３１ｈ，３１ｊが形成されている。取付孔３１ｈ，３１ｊは、周方向に離間して４箇所に形成されている。換言すると、取付孔３１ｈが上下方向に離間して２箇所に形成され、取付孔３１ｊが幅方向に離間して２箇所に形成されている。
【００４２】
図４に示すように、各取付孔３１ｈ，３１ｊは、縮径孔部３６及び拡径孔部３７で形成されている。縮径孔部３６は、取付孔３１ｈ，３１ｊの後部に配置されている。拡径孔部３７は、縮径孔部３６に連続して、縮径孔部３６の前方に配置されている。縮径孔部３６及び拡径孔部３７は、径方向に長い長円形状をなしている。拡径孔部３７と縮径孔部３６との間には、段部３８が形成されている。
【００４３】
図５に示すように、上下方向に離間して配置された取付孔３１ｈには、それぞれ一対の係止突起１２が配置されている。上向き片部１３及び係止片部１４は、縮径孔部３６に当接配置されている。係止片部１４の爪部１５は、取付孔３１ｈの段部３８に係止されている。このようにして、ベース部材３０は、ブラケット１０に支持されている。
【００４４】
図４に示すように、幅方向に離間して配置された取付孔３１ｊには、それぞれ一対の規制突起１７が配置されている。第一規制壁部１８の幅方向の長さは、縮径孔部３６の幅方向の長さと略同一か縮径孔部３６の幅方向の長さよりも僅かに短い。第二規制壁部１９（図６参照。以下同じ。）の上下方向の長さは、縮径孔部３６の上下方向の長さと略同一か縮径孔部３６の上下方向の長さよりも僅かに短い。これにより、規制突起１７は、取付孔３１ｊ内で幅方向及び上下方向（鉛直面に沿う所定の方向）の移動が規制されている。
【００４５】
取付パネルＰに取り付けられたブラケット１０にベース部材３０を取り付ける際には、ブラケット１０に対して、ベース部材３０を前方から後方に押し込む。ブラケット１０の規制突起１７は取付孔３１ｊ内に配置されて、幅方向及び上下方向の位置決めがされる。
【００４６】
係止突起１２が取付孔３１ｈ内に挿入される際には、係止片部１４が上向き片部１３に近接する方向に弾性変形する。挿入後には、係止片部１４が上向き片部１３から離間する方向、つまり元の位置に戻り、係止片部１４の爪部１５が取付孔３１ｈの段部３８に係止される。
【００４７】
規制突起１７のブラケット本体部１１からの突出高さＨ１が係止突起１２のブラケット本体部１１からの突出高さＨ２よりも高いため、ブラケット１０にベース部材３０を取り付ける際には、係止突起１２が取付孔３１ｈ内に配置されるよりも先に規制突起１７が取付孔３１ｊ内に配置される。よって、ブラケット１０に対してベース部材３０の位置決めがされてから、ブラケット１０にベース部材３０が取り付けられることになる。
【００４８】
ベース部３１の外縁部の後部及び前部には、それぞれ後部溝３１ｍ及び前部溝３１ｎが形成されている。後部溝３１ｍ及び前部溝３１ｎは、平面視環状に形成されている。後部溝３１ｍ及び前部溝３１ｎには、それぞれＯリング４１，４２が嵌合されている。
【００４９】
後部溝３１ｍに嵌合されたＯリング４１により、ブラケット１０のブラケット本体部１１とベース部材３０のベース部３１との間が密閉される。
【００５０】
発光部材５は、ベース部材３０の後部に設けられている。発光部材５は、基板５１と、ＬＥＤ５２と、を有している。
【００５１】
基板５１は、ベース部材３０の取付筒部３４に螺子止めされている。本実施形態では、発光部材５は、ベース部材３０を介してブラケット本体部１１に支持されている。
【００５２】
ＬＥＤ５２は、幅方向に離間して２箇所に設けられている。ＬＥＤ５２は、ベース部材３０の収納凹部３３内に配置されている。
【００５３】
カバー６は、平板部６１と、傾斜部６２と、を有している。カバー６は、例えば透明赤色とされている、色調は適宜設定可能である。
【００５４】
平板部６１は、平面視円形状をなしている。平板部６１は、平板状に形成されている。平板部６１は、板厚方向を前後方向に向けて配置されている。
【００５５】
傾斜部６２は、平板部６１の外縁部に設けられている。傾斜部６２は、径方向外側に向かうにしたがって次第に後方に向かうように傾斜している。
【００５６】
ベース部材３０の前部溝３１ｎには、Ｏリング４２が嵌合されるとともに、傾斜部６２の後端部が係止されている。これにより、ベース部材３０のベース部３１とカバー６の傾斜部６２の後端部との間が密閉される。
【００５７】
このように構成された表示灯１００では、取付腕部２１は取付パネルＰの後面Ｐｃに沿って配置されて、螺子２３ｚを取付腕部２１の取付孔２３ｈに後方から挿通して、取付パネルＰに設けられた取付金具２６に取り付けることができる。よって、表示灯１００のブラケット１０を、取付パネルＰに対して後方から取り付けることができる。
【００５８】
また、ブラケット本体部１１の係止突起１２はベース部材３０の取付孔３１ｈに係止されているため、ベース部材３０はブラケット１０に取り付けられる。
【００５９】
また、ブラケット本体部１１の規制突起１７はベース部材３０の取付孔３１ｊ内に配置され、鉛直面に沿う所定の方向の移動が規制されているため、ベース部材３０はブラケット１０に対して鉛直面に沿う所定の方向の移動が規制される。
【００６０】
また、取付パネルＰに対して、前方から表示灯１００を取り付ける際には、ブラケット１０を使用せずに、ベース部材３０を取付パネルＰの前面Ｐｆに沿って配置して、螺子（不図示）をベース部材３０の取付孔３１ｈ，３１ｊに前方から挿通して、取付パネルＰに螺合すればよい。よって、ブラケット１０をベース部材３０から取り外して、ベース部材３０を取付パネルＰに対して前方から取り付けることができる。
【００６１】
なお、上述した実施の形態において示した各構成部材の諸形状や組み合わせ等は一例であって、本発明の主旨から逸脱しない範囲において設計要求等に基づき種々変更可能である。
【００６２】
例えば、上記に示す実施形態では、ブラケット１０の取付腕部２１はブラケット本体部１１から幅方向に延出しているが、本発明はこれに限られない。取付部は本体部から外側に延出していればよく、上下方向等に延出していてもよい。
【００６３】
また、上記に示す実施形態では、発光部材５は、ベース部材３０を介してブラケット本体部１１に支持されているが、本発明はこれに限られない。発光部材が本体部に直接設けられていてもよい。
【符号の説明】
【００６４】
１…取付体
５…発光部材
６…カバー
１０…ブラケット（表示灯の取付部材、取付部材）
１１…ブラケット本体部（本体部）
１２…係止突起（係止部）
１７…規制突起（規制部）
２１…取付腕部（取付部）
２３ｈ…取付孔（第一取付孔）
３０…ベース部材（支持部材）
３１…ベース部
３１ｈ，３１ｊ…取付孔（第二取付孔）
５２…ＬＥＤ
１００…表示灯
Ｐ…取付パネル（取付対象物）
【図１】
2020140013.tif 000003
【図２】
2020140013.tif 000004
【図３】
2020140013.tif 000005
【図４】
2020140013.tif 000006
【図５】
2020140013.tif 000007
【図６】
2020140013.tif 000008